(57)【要約】【課題】薄型で漏れ防止効果に優れ、かつ安価に製造できる吸収体及び使い捨て紙おむつを提供すること。【解決手段】繊維と吸水性ポリマーとの混合層を上層シートと下層シートにより被覆して成る吸収体において、前記吸水性ポリマーを通液性のよい高吸水性ポリマーで構成すると共に、前記下層シートの上面に吸収量のよい高吸水性ポリマーを塗設して吸収体を作製する。【選択図】　　　　図３
2004065300.tif 000002
【特許請求の範囲】
【請求項１】
繊維と吸水性ポリマーとの混合層を上層シートと下層シートにより被覆して成る吸収体において、前記吸水性ポリマーを通液性のよい高吸水性ポリマーで構成すると共に、前記下層シートの上面に吸収量のよい高吸水性ポリマーを塗設して成ることを特徴とする吸収体。
【請求項２】
繊維と吸水性ポリマーとの混合層を上層シート及び下層シートにより被覆して成る吸収体において、前記吸水性ポリマーを吸収量のよい高吸水性ポリマーで構成すると共に、前記上層シートの下面に通液性のよい高吸水性ポリマーを塗設して成ることを特徴とする吸収体。
【請求項３】
透液性トップシートと、不透液性バックシートと、前記両シート間に介在された吸収体とを具備して成る使い捨て紙おむつにおいて、前記吸収体を、繊維と通液性のよい高吸水性ポリマーとの混合層を上層シートと、上面に吸収量のよい高吸水性ポリマーを塗設した下層シートにより被覆して構成したことを特徴とする使い捨て紙おむつ。
【請求項４】
透液性トップシートと、不透液性バックシートと、前記両シート間に介在された吸収体とを具備して成る使い捨て紙おむつにおいて、前記吸収体を、繊維と吸収量のよい高吸水性ポリマーとの混合層を下面に通液性のよい高吸水性ポリマーを塗設した上層シートと、下層シートにより被覆して構成したことを特徴とする使い捨て紙おむつ。
【発明の詳細な説明】
【０００１】
【発明の属する技術分野】
本発明は、吸収体及び使い捨て紙おむつに関し、さらに詳細には、薄型で漏れ防止効果に優れ、かつ安価に製造できる吸収体及び使い捨て紙おむつに関する。
【０００２】
【従来の技術】
最近、乳幼児や失禁者用の使い捨て紙おむつ、あるいは吸収パッドや生理用ナプキン等の吸収性物品に対しては、吸収性に優れて液漏れがないことに加え、着用したときに嵩張り感のないコンパクトで安価な製品が要求されているため、当分野ではこのような吸収性物品の主要部を占める吸収体をできるだけ薄くすることが進められている。
【０００３】
このように吸収体を薄型にするためには、吸収体を構成するパルプや綿等の繊維の混合量を吸水性ポリマーに対し極力少なくする必要がある。しかしながら、このように繊維に対するの吸水性ポリマーの配合割合を増加させると、吸収体の上層シートを透過した尿等の体液が混合層の上層部に位置する吸水性ポリマーに吸収され、この結果、吸水性ポリマーがゲル化して互いに密着し合う、いわゆるブロッキング現象を生じる欠点があった。このようなブロッキング現象を生じると、体液が吸収体の内部に吸収されず、逆に表面から外に押し戻され、ウエットバック（ｗｅｔ　ｂａｃｋ）による液漏れを生じる原因となっていた。
【０００４】
そこで、このようなブロッキング現象を防止する目的で、特開２００１−２５２３０７号公報には、透液性トップシートと不透液性バックシートとの間に介在される吸収体を、通液性のよい第１の高吸水性ポリマーをティッシュ等のシートにより固定、保持して成る第１吸収体層と、前記高吸収性ポリマーより吸収力のある第２の高吸水性ポリマーを同様にシートにより固定、保持して成る第２吸収体層とで構成した吸収性物品が提案されている。
【０００５】
【発明が解決しようとする課題】
しかしながら、このように２種類の高吸水性ポリマーを用いた２層から成る吸収体を作るためには、吸収性物品の製造工程、少なくとも吸収体の製造工程において積繊用の設備が２段階必要となるため、設備費と設置スペースが増えて製造コストがアップする欠点があった。また、高吸水性ポリマーとパルプ等の繊維との混合層を積層した構造体で吸収体を薄型化するには限界があり、極度に薄くすることは難しく、たとえできたとしても、ポリマーの分散状態が均一化されにくいために吸収体表面に凹凸を生じ、このため見栄えが悪くなったり装着感が悪くなる等の欠点があった。とくにポリマーが集中した個所はゲルブロッキング等の弊害が発生し、吸収性能が低下する欠点があった。
【０００６】
本発明は、従来技術の有する上記欠点を解消し、薄型で漏れ防止効果に優れ、かつ安価に製造できる吸収体及び使い捨て紙おむつを提供することを目的とする。
【０００７】
【課題を解決するための手段】
本発明の上記目的は、繊維と吸水性ポリマーとの混合層を上層シートと下層シートにより被覆して成る吸収体において、前記吸水性ポリマーを通液性のよい高吸水性ポリマーで構成すると共に、前記下層シートの上面に吸収量のよい高吸水性ポリマーを塗設して成ることを特徴とする吸収体によって達成される。
【０００８】
また、本発明の上記目的は、繊維と吸水性ポリマーとの混合層を上層シート及び下層シートにより被覆して成る吸収体において、前記吸水性ポリマーを吸収量のよい高吸水性ポリマーで構成すると共に、前記上層シートの下面に通液性のよい高吸水性ポリマーを塗設して成ることを特徴とする吸収体によって達成される。
【０００９】
また、本発明の上記目的は、透液性トップシートと、不透液性バックシートと、前記両シート間に介在された吸収体とを具備して成る使い捨て紙おむつにおいて、前記吸収体を、繊維と通液性のよい高吸水性ポリマーとの混合層を上層シートと、上面に吸収量のよい高吸水性ポリマーを塗設した下層シートにより被覆して構成したことを特徴とする使い捨て紙おむつによって達成される。
【００１０】
さらにまた、本発明の上記目的は、透液性トップシートと、不透液性バックシートと、前記両シート間に介在された吸収体とを具備して成る使い捨て紙おむつにおいて、前記吸収体を、繊維と吸収量のよい高吸水性ポリマーとの混合層を下面に通液性のよい高吸水性ポリマーを塗設した上層シートと、下層シートにより被覆して構成したことを特徴とする使い捨て紙おむつによって達成される。
【００１１】
【発明の実施の形態】
以下、本発明の内容を、本発明の一実施形態である使い捨て紙おむつを例に詳述する。なお、本発明に係わる吸収体は、必ずしもこの使い捨て紙おむつの場合に限定されるものではなく、このほか、吸収パッドや生理用ナプキン等の公知の吸収性物品に広く適用し得るものである。
【００１２】
図１は、本発明の一実施形態に係わるテープ型の使い捨て紙おむつ（以下「紙おむつ」という）１０を展開して表面側から見た平面図である。この紙おむつ１０は、外観形状については一般によく知られているもので、透液性トップシート１１と、不透液性バックシート１２と、これらのシート間に介在された吸収体１３とから成るおむつ本体１４を平面視で砂時計形状とし、前身頃１５、後身頃１６、股間部１７を形成して成っている。前身頃１５の胴周り部には複数本の弾性伸縮部材１８が、同様に、後身頃１６の胴周り部には弾性伸縮部材１９が、そして股間部１７の脚周り部には弾性伸縮部材２０が、夫々、透液性トップシート１１と不透液性バックシート１２との間に介在され、平面ギャザーが形成されている。なお、後身頃１６の両端部にはおむつ本体１４を着用者の腰部に固定するためのファスニングテープ２１が固定されている。
【００１３】
ここに、透液性トップシート１１は、肌触りがよく親水性を有する不織布、織布、多孔性プラスチックフィルム等で形成され、ポリプロピレン、ポリエチレン、ポリエステル等の単独あるいは複合繊維が好ましく用いられる。
【００１４】
不透液性バックシート１２は、液不透過性を有する不織布、織布、プラスチックフィルム、あるいはこれらを貼り合わせたもので形成され、通気性あるいは透湿性を有する材料等が好ましく用いられる。
【００１５】
弾性伸縮部材１８，１９，２０は、ゴム紐等の伸び縮みを有する材料で形成され、用途により太さや本数が適宜に設定される。上述したように、これらの部材によりおむつ本体１４の所定部分に平面ギャザーが形成され、これにより本紙おむつ１０を着用したときに、おむつ本体１４の身体への密着と体液の漏れ防止が図られる。
【００１６】
本紙おむつ１０における吸収体１３は、図２に図１のＸ−Ｘ断面図で示すように、透液性トップシート１１と、不透液性バックシート１２の上面に溶着された防水フィルム２２との間に介在されている。図３は、この吸収体１３をさらに拡大して断面図で示したもので、図示するように、この吸収体１３は、上層シート１３と、上面に吸収量のよい高吸水性ポリマー１３ｐ２を塗設した下層シート１３ｂとにより、パルプ繊維１３ｓと通液性のよい高吸水性ポリマー１３ｐ１とから成る混合層を被覆して成っている。
【００１７】
ここに、上層シート１３ａ及び下層シート１３ｂは不織布やティッシュ等のシート材で形成され、この内部は、通液性のよい高吸水性ポリマー１３ｐ１と、粉砕機で５ｍｍ以下の繊維長に解繊されたパルプ繊維１３ｓとの混合層となっている。なお、高吸水性ポリマー１３ｐ１とパルプ繊維１３ｓとの混合比は７：３に設定され、ポリマー量に較べ繊維量が半分以下に設定されている。この高吸水性ポリマー１３ｐ１とパルプ繊維１３ｓとの混合比は５：５〜７：３の範囲で使用することができる。ポリマー比率が７：３以上に高くなると、吸収速度が遅くなると共に粒状のポリマーの凹凸が多い吸収体１３となる等、品質が悪くなる傾向があるので好ましくない。このように設定された本吸収体１３の坪量はパルプ繊維１３ｓが８０〜２５０ｇ／ｍ２、高吸水性ポリマー１３ｐ１が１７０〜５２０ｇ／ｍ２の範囲で２５０〜６００ｇ／ｍ２程度に、また厚さは０．５ｇ／ｃｍ２荷重で３〜１０ｍｍ程度に設定されている。
【００１８】
本発明における高吸水性ポリマー１３ｐ１，１３ｐ２には、いずれも架橋構造を有し、重合体の構成成分としてカルボキシル基等を有する公知の高吸水性物が使用される。
【００１９】
とくに高吸水性ポリマー１３ｐ１には、飽和膨潤状態での生理食塩水の通液性が５０ｍｌ／ｍｉｎ／ｃｍ２以上で、その生理食塩水の最大吸収速度が０．１ｍｌ／ｓｅｃ／ｇ以上の通液性のよい吸水性ポリマーが使用される。
【００２０】
また、高吸水性ポリマー１３ｐ２には、吸収倍率及び最大吸収速度が前記高吸水性ポリマー１３ｐ１の１．１倍以上ある吸収量のよい吸水性ポリマーが使用される。このような特性を有する高吸水性ポリマー１３ｐ２は、吸収体１３の製造過程において、ロールから繰出される下層シート１３ｂの上面にポリマー散布機を介して散布され、下層シート１３ｂの上面に高吸水性ポリマー層が塗設される。
このように高吸水性ポリマー１３ｐ２を散布方式により層設すると、ポリマーを平均化して介在させることができ、この結果、厚みが一様な平坦面を形成することができる。なお、このような散布には簡単な散布機を１台設置するだけでよく、また、設置スペースも少なくて済むので、前述したような従来技術における積繊用の設備に較べ、低コストかつ小スペースで実現することができる。
【００２１】
本紙おむつ１０は、上述したような構成の吸収体１３を具備して成っているので、体液が透液性トップシート１１を透過して吸収体１３の上層シート１３ａに達すると、通液性のよい高吸水性ポリマー１３ｐ１とパルプ繊維１３ｓとの混合層を体液がいち早く浸透し、吸水性ポリマーのゲル化によるブロッキングを生じる間もなく、直ちに吸収量のよい高吸水性ポリマー１３ｐ２に吸収されて貯留される。よって、本紙おむつ１０によれば、体液の逆戻りのない紙おむつを提供することができる。
【００２２】
また、吸収体１３を、薄型で表面の平坦な形状に形成することができるので、着用し易く、また見栄えのよい紙おむつを提供することができる。
【００２３】
以上、本発明の内容を一実施形態により説明したが、本発明は次のように構成を変更することができる。
【００２４】
図４は、本発明の他の実施形態に係る紙おむつ１０’（図示せず）に用いられる吸収体１３’の拡大断面図であって、前記図３に対応して示したものである。
よって、図３に示した構成要素と同一の要素には同一の符号が付されている。
【００２５】
図示するように、本吸収体１３’は、上層シート１３ａの下面に通液性のよい高吸水性ポリマー１３ｐ１が塗設されており、この上層シート１３ａと下層シート１３ｂとの間に、パルプ繊維１３ｓと吸収量のよい高吸水性ポリマー１３ｐ２との混合層を設けたものである。ここに、高吸水性ポリマー１３ｐ１，１３ｐ２の特性、及び混合層の配合割合等については前期実施形態と実質的に同一となっている。
【００２６】
このような構成を有する本吸収体１３’を用いた紙おむつ１０’によれば、前記実施形態のものと同様に、体液が透液性トップシート１１を透過して吸収体１３の上層シート１３ａに達すると、通液性のよい高吸水性ポリマー１３ｐ１を介して体液が混合層にいち早く浸透し、内部の吸収量のよい高吸水性ポリマー１３ｐ２に吸収されて貯留される。よって、本紙おむつ１０’によっても、前記同様に、体液の逆戻りのない薄型の紙おむつを提供することができる。
【００２７】
なお、本発明においては、混合層を形成する繊維としてはパルプ繊維が好ましいが、このほか、綿、麻、羊毛、絹等の天然繊維あるいは合成繊維も適用できることはいうまでもない。
【００２８】
また、高吸水性ポリマー１３ｐ２を上面に塗設する下層シート１３ｂ、及び高吸水性ポリマー１３ｐ１を下面に塗設する上層シート１３ａには、強度面からティッシュよりも不織布である方が望ましい。
【００２９】
【発明の効果】
以上に詳述したように、本発明に係る吸収体は、薄型で見栄えがよく、かつ吸収性にすぐれた吸収体であるので、とくに、このような吸収体を用いた紙おむつによれば、着用したときに嵩張り感がなく、また体液の逆戻りに起因した液漏れのないのない安価な紙おむつをユーザーに提供することができる。
【図面の簡単な説明】
【図１】本発明の一実施形態に係る使い捨て紙おむつを展開して表面側から見た平面図である。
【図２】図１のＸ−Ｘ断面図である。
【図３】図２の要部である吸収体の拡大断面図である。
【図４】本発明の他の実施形態に係る吸収体の拡大断面図である。
【符号の説明】
１０，（１０’）　　　　　　　使い捨て紙おむつ
１１　　　　　　　　　　　　透液性トップシート
１２　　　　　　　　　　　　不透液性バックシート
１３，１３’　　　　　　　　吸収体
１３ａ　　　　　　　　　　　上層シート
１３ｂ　　　　　　　　　　　下層シート
１３ｐ１　　　　　　　　　　（通液性のよい）高吸水性ポリマー
１３ｐ２　　　　　　　　　　（吸収量のよい）高吸水性ポリマー
１４　　　　　　　　　　　　おむつ本体
１５　　　　　　　　　　　　前身頃
１６　　　　　　　　　　　　後身頃
１７　　　　　　　　　　　　股間部
１８，１９，２０　　　　　　弾性伸縮部材
２１　　　　　　　　　　　　ファスニングテープ
２２　　　　　　　　　　　　防水フィルム
【図１】
2004065300.tif 000003
【図２】
2004065300.tif 000004
【図３】
2004065300.tif 000005
【図４】
2004065300.tif 000006